(57)【要約】【課題】本発明は設置スペースが小さくなるので、各階にあらかじめ設置しておくことができ、後から発生するターミネ―ションケーブルの配線作業が容易で、防火措置も不要で、低コストで行なうことができる光マイクロボックスを得るにある。【解決手段】ベース板と、このベース板の一端部寄りの部位に取り付けることができる分岐線ケーブルに接続されたアダプタと、前記ベース板の他端部寄りの部位に取り付けられた前記アダプタにコネクタ接続されるコネクタが取り付けられたターミネ―ションケーブルの抗張力体を固定する抗張力体固定具と、この抗張力体固定具および前記アダプタの上部および両側部を覆うように、前記ベース板に着脱可能に取り付けられたカバー体とで光マイクロボックスを構成している。【選択図】  図６
2005208193.tif 000002
【特許請求の範囲】
【請求項１】
ベース板と、このベース板の一端部寄りの部位に取り付けることができる分岐線ケーブルに接続されたアダプタと、前記ベース板の他端部寄りの部位に取り付けられた前記アダプタにコネクタ接続されるコネクタが取り付けられたターミネ―ションケーブルの抗張力体を固定する抗張力体固定具と、この抗張力体固定具および前記アダプタの上部および両側部を覆うように、前記ベース板に着脱可能に取り付けられたカバー体とからなることを特徴とする光マイクロボックス。
【請求項２】
長方形状のベース板本体、このベース板本体の四隅部およびほぼ中央両側部に上方へ突出するように一体形成された支柱、前記ベース板本体の一端部寄りの部位に分岐ケーブルに接続されたアダプタの取付孔に挿入される一対のアダプタ取付支柱とからなるベース板と、このベース板の一端部寄りの支柱およびアダプタ取付支柱に位置決め状態で取り付けられる分岐ケーブルに接続されたアダプタと、前記ベース板の他端部寄りの部位に取り付けられた、前記アダプタにコネクタ接続されるコネクタが取り付けられたターミネ―ションケーブルの抗張力体を固定する抗張力体固定具と、この抗張力体固定具および前記アダプタの上部および両側部を覆うように、前記ベース板の中央両側部の支柱に螺合されたビスによって着脱可能に取り付けられたカバー体とからなることを特徴とする光マイクロボックス。
【発明の詳細な説明】
【技術分野】
【０００１】
本発明は光幹線ケーブルから分岐された分岐ケーブルとターミネ―ションケーブルとを接続する光マイクロボックスに関する。
【背景技術】
【０００２】
従来、ビル等の建物の所定階の光幹線ケーブルに配線用光キャビネットを介装し、該配線用光キャビネットから融着またはコネクタ接続されたFO変換モジュールを介して、その階や上下階へターミネ―ションケーブルを配線している。
【０００３】
したがって、光幹線ケーブルとターミネ―ションケーブルとの間に配線用光キャビネットが介装されているため、該配線用光キャビネットの設定スペースが大きくなるとともに、後から発生する上・下階へのターミネ―ションケーブルの配線の際に、床貫通した部分の防火措置が必要となり、手数がかかりコスト高になるという欠点があった。
【特許文献１】特になし
【発明の開示】
【発明が解決しようとする課題】
【０００４】
本発明は以上のような従来の欠点に鑑み、設置スペースが小さくなるので、各階にあらかじめ設置しておくことができ、後から発生するターミネ―ションケーブルの配線作業が容易で、防火措置も不要で、低コストで行なうことができる光マイクロボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はベース板と、このベース板の一端部寄りの部位に取り付けることができる分岐線ケーブルに接続されたアダプタと、前記ベース板の他端部寄りの部位に取り付けられた前記アダプタにコネクタ接続されるコネクタが取り付けられたターミネ―ションケーブルの抗張力体を固定する抗張力体固定具と、この抗張力体固定具および前記アダプタの上部および両側部を覆うように、前記ベース板に着脱可能に取り付けられたカバー体とで光マイクロボックスを構成している。
【発明の効果】
【０００７】
以上の説明から明らかなように、本発明にあっては、次に列挙する効果が得られる。
【０００８】
(１)ベース板と、このベース板の一端部寄りの部位に取り付けることができる分岐線ケーブルに接続されたアダプタと、前記ベース板の他端部寄りの部位に取り付けられた前記アダプタにコネクタ接続されるコネクタが取り付けられたターミネーションケーブルの抗張力体を固定する抗張力体固定具と、この抗張力体固定具および前記アダプタの上部および両側部を覆うように、前記ベース板に着脱可能に取り付けられたカバー体とで構成されているので、分岐ケーブルに接続されたアタプタと、このアダプタにコネクタ接続されるターミネーションケーブルのコネクタと抗張力体固定部からなる小さなボックスに形成することができる。
したがって、小さなスペースに設置することができるため、各階に設置しておくことができ、後から発生するターミネーションケーブルの配線はアダプタとターミネーションケーブルのコネクタ接続およびターミネーションケーブルの抗張力体を抗張力体固定具で固定する作業でよく、大幅に省力化でき、楽に低コストで行なうことができる。
(２)前記(１)によって、ベース板に抗張力体固定具を取り付けているので、ターミネーションケーブルの接続を光ファイバに悪影響を及ぼすことなく行なうことができる。
(３)前記(１)によって、密集してもスペースを作ることができ、コネクタの着脱作業を容易で楽に行うことができる。
(４)前記(１)によって、構造が簡単で、安価に製造することができる。
【発明を実施するための最良の形態】
【０００９】
以下、図面に示す本発明を実施するための最良の形態により、本発明を詳細に説明する。
【００１０】
図１ないし図９の本発明を実施するための最良の第１の形態において、１は各階の取付部に固定的に取り付けられる本発明の光マイクロボックスで、この光マイクロボックス１は各階の取付部にそれぞれ２本のビス２等によって固定される長方形状のベース板本体３、このベース板本体３の四隅部およびほぼ中央両側部に上方へ突出するように一体形成された支柱４、４、４Ａ、４Ａ、４Ｂ、４Ｂ、前記ベース板本体３の一端部寄りの部位に光幹線ケーブル５より各階用に分岐された分岐ケーブル６に接続されたアダプタ７の取付孔８、８に挿入される一対のアダプタ取付支柱９、９および前記ベース板本体３に形成されたビス挿入孔１０、１０とからなるベース板１１と、このベース板１１の一端部寄りの支柱４、４およびアダプタ取付支柱９、９に位置決め状態で位置され、該アダプタ取付支柱９、９に螺合されるビス１２、１２によって固定状態に取り付けられる分岐ケーブル６に接続された上下に２個ずつのコネクタ挿入孔１３、１３、１３、１３を有するアダプタ７と、前記ベース板１１の他端部寄りの部位に取り付けられた、前記アダプタ７に接続されるコネクタ１４、１４、１４、１４が取り付けられたターミネーションケーブル１５、１５の抗張力体固定具１８、１８と、この抗張力体固定具１８、１８および前記アダプタ７の上部および両側部を覆うように、前記ベース板１１の一端部寄りの支柱４、４および中央両側部の支柱４Ｂ、４Ｂにビス１９、１９、１９、１９によって螺合固定されるビス挿入孔２０、２０、２０、２０を有する着脱可能なカバー体２１とで構成されている。
【００１１】
上記構成の光マイクロボックス１は各階用に分岐された先端部にアダプタ７が取り付けられた光幹線ケーブル６を、工場で配線した光幹線ケーブル５を建物２２に吊り下げ設置した後、各階の分岐ケーブル６のアダプタ７をビス２等によって固定されたベース板１１の一端部の支柱４、４およびアダプタ取付支柱９、９に支持させ、ビス１２、１２をアダプタ取付支柱９、９に螺合させて、アダプタ７をベース板１１に固定する。
【００１２】
ターミネーションケーブル１５を使用しない階のベース板１１にはカバー２１で覆って、ビス１９、１９、１９、１９を一端部寄りの支柱４、４および中央両側部の支柱４Ｂ、４Ｂに螺合させて、締め付けることによりカバー２１をベース板１１に固定しておく。
【００１３】
ターミネーションケーブル１５、１５を使用する階のベース板１１には、図９に示すようにターミネーションケーブル１５、１５の抗張力体１６、１６を抗張力体固定具１８、１８のビス１７、１７、１７、１７の締め付けにより固定し、ターミネーションケーブル１５、１５のコネクタ１４、１４、１４、１４をアダプタ７のコネクタ挿入孔１３、１３、１３、１３に差し込み接続を行なう。
しかる後、ベース板１１上をカバー２１で覆って、ビス１９、１９、１９、１９を一端部寄りの支柱４、４および中央両側部の支柱４Ｂ、４Ｂに螺合させて、締め付けることによりカバー体２１をベース板１１に固定する作業で、ターミネーションケーブル１５、１５の接続作業が完了する。
(発明を実施するための異なる形態)
【００１４】
次に、図１０ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１５】
図１０ないし図１４に示す本発明を実施するための第２の形態において、前記本発明を実施するための最良の第１の形態と主に異なる点は、ベース板１１にビス２、２によって固定されたビス２３、２３によってターミネーションケーブル１５、１５の抗張力体１６、１６を上下２段で固定することができる抗張力体挿入孔２４、２４を有する抗張力体固定具１８Ａを用いた点で、このような抗張力体固定具１８Ａを用いて構成した光マイクロボックス１Ａにしても、前記本発明を実施するための最良の第１の実施の形態と同様な作用効果が得られるとともに、より幅寸法を小さく形成することができる。
【００１６】
図１５ないし図１８に示す本発明を実施するための第３の形態において、前記本発明を実施するための第１の形態と主に異なる点は、分岐ケーブル６の先端部に取り付けられた並列に４個のコネクタ挿入孔１３、１３、１３、１３を有するアダプタ７Ａをアダプタ取付支柱９、９に位置決め状態で固定できるようにした点で、このように構成した光マイクロボックス１Ｂにしても、前記本発明を実施するための最良の第１の実施の形態と同様な作用効果が得られる。
【００１７】
図１９ないし図２３に示す本発明を実施するための第４の形態において、前記本発明を実施するための第１の形態と主に異なる点は、分岐ケーブル６の先端部に取り付けられた二段に並列させた８個のコネクタ挿入孔１３、１３、１３、１３、１３、１３、１３、１３を有するアダプタ７Ｂを用い、４個の抗張力体１６、１６、１６、１６をそれぞれ挿入することが出来る抗張力体挿入孔２４、２４、２４、２４を有する抗張力体固定具１８Ｂを用いるとともに、ベース板本体３の支柱４Ａ側にターミネーションケーブル１５のケーブルガイド２５とを設けた点で、このようなアダプタ７Ｂ、抗張力体固定具１８Ｂやケーブルガイド２５を用いた光マイクロボックス１Ｃにしても、前記本発明を実施するための最良の第１の実施の形態と同様な作用効果が得られる。
【００１８】
図２４ないし図２７に示す本発明を実施するための第５の形態において、前記本発明を実施するための第４の形態と主に異なる点はコネクタ１４をアダプタ７Ｂに容易に着脱することが出来るピンセット状のコネクタ着脱工具２６をチェーン２７でカバー２１の内側側面に取付けた点で、このように構成した光マイクロボックス１Ｄにしても、前記本発明を実施するための第４の実施の形態と同様な作用効果が得られる。
【産業上の利用可能性】
【００１９】
本発明は光マイクロボックスを製造する産業および、該製品を使用する配線工事を行なう産業で利用される。
【図面の簡単な説明】
【００２０】
【図１】本発明を実施するための最良の第１の形態の使用説明図。
【図２】本発明を実施するための最良の第１の形態の正面図。
【図３】本発明を実施するための最良の第１の形態の平面図。
【図４】本発明を実施するための最良の第１の形態の背面図。
【図５】本発明を実施するための最良の第１の形態の底面図。
【図６】本発明を実施するための最良の第１の形態のカバー体を外した状態の平面図。
【図７】本発明を実施するための最良の第１の形態のカバー体を外した状態の側面図。
【図８】本発明を実施するための最良の第１の形態のベース板の説明図。
【図９】ターミネーションケーブル取付け状態の説明図。
【図１０】本発明を実施するための第２の形態の使用説明図。
【図１１】本発明を実施するための第２の形態の抗張力体固定具の説明図。
【図１２】本発明を実施するための第２の形態の平面図。
【図１３】本発明を実施するための第２の形態のカバー体を外した状態の平面図。
【図１４】本発明を実施するための第２の形態のカバー体を外した状態の側面図。
【図１５】本発明を実施するための第３の形態の使用説明図。
【図１６】本発明を実施するための第３の形態の平面図。
【図１７】本発明を実施するための第３の形態のカバー体を外した状態の平面図。
【図１８】本発明を実施するための第３の形態のカバー体を外した状態の側面図。
【図１９】本発明を実施するための第４の形態の使用説明図。
【図２０】本発明を実施するための第４の形態の正面図。
【図２１】本発明を実施するための第４の形態の抗張力体固定具の説明図。
【図２２】本発明を実施するための第４の形態のカバー体を外した状態の平面図。
【図２３】本発明を実施するための第４の形態のカバー体を外した状態の側面図。
【図２４】本発明を実施するための第５の形態の使用説明図。
【図２５】本発明を実施するための第４の形態のカバー体の平面図。
【図２６】図２５の２６−２６線に沿う断面図。
【図２７】コネクタ着脱工具の使用状態の説明図。
【符号の説明】
【００２１】
１、１Ａ、１Ｂ：光マイクロボックス、
２：ビス、              ３：ベース板本体、
４、４Ａ、４Ｂ：支柱、  ５：光幹線ケーブル、
６：分岐ケーブル、      ７、７Ａ、７Ｂ：アダプタ、
８：取付孔、            ９：アダプタ取付支柱、
１０：ビス挿入孔、      １１：ベース板、
１２：ビス、            １３：コネクタ挿入孔、
１４：コネクタ、        １５：ターミネーションケーブル、
１６：抗張力体、        １７：ビス、
１８、１８Ａ：抗張力体固定具、
１９：ビス、            ２０：ビス挿入孔、
２１：カバー体、        ２２：建物、
２３：ビス、            ２４：抗張力体挿入孔、
２５：ケーブルガイド、  ２６：コネクタ着脱工具、
２７：チェーン。
【図１】
2005208193.tif 000003
【図２】
2005208193.tif 000004
【図３】
2005208193.tif 000005
【図４】
2005208193.tif 000006
【図５】
2005208193.tif 000007
【図６】
2005208193.tif 000008
【図７】
2005208193.tif 000009
【図８】
2005208193.tif 000010
【図９】
2005208193.tif 000011
【図１０】
2005208193.tif 000012
【図１１】
2005208193.tif 000013
【図１２】
2005208193.tif 000014
【図１３】
2005208193.tif 000015
【図１４】
2005208193.tif 000016
【図１５】
2005208193.tif 000017
【図１６】
2005208193.tif 000018
【図１７】
2005208193.tif 000019
【図１８】
2005208193.tif 000020
【図１９】
2005208193.tif 000021
【図２０】
2005208193.tif 000022
【図２１】
2005208193.tif 000023
【図２２】
2005208193.tif 000024
【図２３】
2005208193.tif 000025
【図２４】
2005208193.tif 000026
【図２５】
2005208193.tif 000027
【図２６】
2005208193.tif 000028
【図２７】
2005208193.tif 000029